(57)【特許請求の範囲】
【請求項１】
外壁目地の屋外に面する部分に乾式の化粧目地カバーが設置され、該乾式化粧目地カバーは、目地を挟む一方に追従する側部カバー部と、目地を挟むもう一方に追従する側部カバー部と、両側の各側部が各側部カバー部と重なり状態になって側部カバー部間を塞ぐ中間カバー部とを備え、目地幅の違いによって前記重なり幅が変化し目地をカバー状態に保つようになされていることを特徴とする乾式化粧目地カバー構造。
【請求項２】
前記乾式化粧目地カバーは、各側部カバー部が弾性手段の弾性復元力によって目地内を挟む両側面部に弾力的に当接して目地部に保持されている請求項１に記載の乾式化粧目地カバー構造。
【請求項３】
外壁目地の屋外に面する部分に設置される乾式化粧目地カバーであって、
目地を挟む一方に追従する側部カバー部と、目地を挟むもう一方に追従する側部カバー部と、両側の各側部が各側部カバー部と重なり状態になって側部カバー部間を塞ぐ中間カバー部とを備え、目地幅の違いによって前記重なり幅が変化し目地をカバー状態に保つようになされていることを特徴とする乾式化粧目地カバー。
【発明の詳細な説明】
【技術分野】
【０００１】
本発明は、乾式化粧目地カバー構造及びそれに用いる乾式化粧目地カバーに関する。
【背景技術】
【０００２】
例えば、外壁面材間の目地を止水する方法として、目地内にシーリング材を充填したり、あるいは、目地内にガスケットを嵌め込んだりすることは、従来より行われている。
【特許文献１】特開平１０−１８３７８４号公報
【発明の開示】
【発明が解決しようとする課題】
【０００３】
しかしながら、シーリングによる止水では、屋外からの見栄えを良くするように仕上げるには熟練を必要とし、そのため、アンカー付きの化粧目地カバーを用い、アンカー部をシーリング材中に埋込み状態にしてシーリング材を隠すことも行われているが、アンカー部をシーリング材中に埋込み状態にする構造では、シーリング材の止水性能を損なわせてしまうおそれがある。
【０００４】
一方、ガスケットによる止水では、施工誤差によって目地幅に狂いを生じているような場合に、目地幅が小さいところでは湾曲が大きく、目地幅が大きいところでは湾曲が小さくなり、外観体裁を悪くしてしまうという問題がある。
【０００５】
また、いずれの方法であっても、経年変化によって目地幅に変化を生じると、シーリング材の場合には、屋外に面する面部の形状が変化したり、シーリング材と化粧目地カバーとの組み合わせによる場合は、化粧目地カバーの両側に背後のシーリング材が露出したり、化粧目地カバーに変形を生じたり、ガスケットの場合には、その湾曲状態が変化したりして、目地の外観体裁を悪くしてしまうことがあるという問題がある。
【０００６】
本発明は、上記のような問題点に鑑み、施工誤差や経年変化などによる目地幅の狂いで目地の外観体裁を悪くしてしまうことがない、乾式化粧目地カバー構造及びそれに用いる乾式化粧目地カバーを提供することを課題とする。
【０００７】
また、それを背後の止水材の止水性能を損なわせることなく実現することができる、乾式化粧目地カバー構造及びそれに用いる乾式化粧目地カバーを提供することを課題とする。
【課題を解決するための手段】
【０００８】
上記の課題は、外壁目地の屋外に面する部分に乾式の化粧目地カバーが設置され、該乾式化粧目地カバーは、目地を挟む一方に追従する側部カバー部と、目地を挟むもう一方に追従する側部カバー部と、両側の各側部が各側部カバー部と重なり状態になって側部カバー部間を塞ぐ中間カバー部とを備え、目地幅の違いによって前記重なり幅が変化し目地をカバー状態に保つようになされていることを特徴とする乾式化粧目地カバー構造によって解決される。
【０００９】
また、外壁目地の屋外に面する部分に設置される乾式化粧目地カバーであって、
目地を挟む一方に追従する側部カバー部と、目地を挟むもう一方に追従する側部カバー部と、両側の各側部が各側部カバー部と重なり状態になって側部カバー部間を塞ぐ中間カバー部とを備え、目地幅の違いによって前記重なり幅が変化し目地をカバー状態に保つようになされていることを特徴とする乾式化粧目地カバーによって解決される。
【００１０】
これらカバー構造及びカバーでは、両側の側部カバー部と中間カバー部とが重なり状態にされていて、目地幅の違いによって重なり幅が変化し目地をカバー状態に保つようになされているので、乾式化粧目地カバーの外面部がくぼみ方向や膨らみ方向に変形せず、また、背後の止水材が露出することもなく、施工誤差や経年変化などによる目地幅の狂いで目地の外観体裁を悪くしてしまうことがない。
【００１１】
上記のカバー構造及びカバーにおいて、乾式化粧目地カバーは、各側部カバー部が弾性手段の弾性復元力によって目地内を挟む両側面部に弾力的に当接して目地部に保持されているとよい。この場合は、乾式化粧目地カバーが、背後の止水材に依存することなく取付け状態を保持することができるので、目地の止水性能を損なわせることなく目地の外観体裁を良好なものにすることができる。
【発明の効果】
【００１２】
本発明は、以上のとおりのものであるから、施工誤差や経年変化などによる目地幅の狂いで目地の外観体裁を悪くしてしまうことがない。また、それを背後の止水材の止水性能を損なわせることなく実現することができる。
【発明を実施するための最良の形態】
【００１３】
次に、本発明の実施最良形態を図面に基づいて説明する。
【００１４】
図１及び図２に示す第１実施形態において、１，１は窯業系などからなる外壁面材、２はそれらの間の縦目地であり、目地２は、現場発泡の空気発泡ウレタンあるいはシーリング材による止水材３で止水されており、該止水材３の屋外側に隣接して乾式化粧目地カバー４が設置されている。
【００１５】
該乾式化粧目地カバー４は、図１に示すように、目地２を挟む一方の側の外壁面材１に追従する側部カバー部５と、目地２を挟むもう一方の側の外壁面材１に追従する側部カバー部５と、両側の各側部が各側部カバー部５，５とその外側において重なり状態になって側部カバー部５，５間を塞ぐ中間カバー部６とを備えており、これらのカバー部５，５，６は例えばフッ素樹脂材などからなっている。
【００１６】
そして、中間カバー部６の背面側には、その幅方向の中央部に連接された間隔保持壁６ａを介してベース部６ｂが備えられると共に、両側の側部カバー部５，５の外方側の縁部にはベース部６ｂ側に屈曲するリップ部５ａ，５ａが備えられ、各リップ部５ａ，５ａと間隔保持壁６ａとの間には弾性手段としてのウレタン材７，７が介設され、両側の側部カバー部５，５がウレタン材７，７の弾性復元力によって外方に付勢されるようになされている。
【００１７】
なお、両側の側部カバー部５，５のリップ部５ａ，５ａの外面部には、エプトシーラーなどによる止水材８，８が取り付けられている。
【００１８】
上記の乾式化粧目地カバーの施工は、図２（イ）に示すように、背後の止水材３の施工を終えた後、図２（ロ）に示すように、乾式化粧目地カバー４をウレタン材７，７の弾性復元力にこうして幅方向に圧縮した状態にし、その状態で、図２（ハ）に示すように目地２内に設置する。すると、乾式化粧目地カバー４の両側の側部カバー部５，５が中間カバー部６との重なりを維持しながら、ウレタン材７，７の弾性復元力によって外方に付勢され、外壁面材１，１の側面部に弾力的に当接して取付け状態が形成される。
【００１９】
なお、屋外側から乾式化粧目地カバー４を治具９で叩いて設置状態の調整をすればきれいな設置状態を形成することができる。また、この設置工程において、背後の止水材３がシーリング材である場合は、図２（ロ）に示すように、絶縁シート材１０を介して乾式化粧目地カバーを設置すると、三面接着による不具合発生を防ぐことができる。
【００２０】
こうして形成された化粧目地カバー構造では、両側の側部カバー部５と中間カバー部６とが重なり状態にされていて、施工誤差や経年変化によって目地幅に狂いを生じても、その狂いが、ウレタン材７，７の弾性復元力によって、両側の側部カバー部５，５と中間カバー部６との重なり幅が変化することで吸収され、目地２をカバー状態に保つことができるのはもちろん、乾式化粧目地カバー４の外面部がくぼみ方向や膨らみ方向に変形せず、また、背後の止水材３が露出することもなく、目地２の外観体裁を良好なものにする、あるいは、良好なものに保つことができる。
【００２１】
しかも、本実施形態では、乾式化粧目地カバー４がウレタン材７，７の弾接復元力により外壁面材１，１間で突っ張って取付け状態を保持するようになされているので、背後の止水材３の止水性能が乾式化粧目地カバー４の設置によって損なわれることもない。
【００２２】
また、本実施形態では、対で用いられているウレタン材７，７によって中間カバー部６が両側の側部カバー部５，５間の中央部に保持されるようになされているので、後の調整を容易にすることかできる。
【００２３】
図３に示す第２実施形態は、乾式化粧目地カバー４において、両側の側部カバー部５，５のリップ部５ａ，５ａ同士が、中間カバー部６のベース部６ｂの背後で、弾性手段としてのプレート部５ｂにより連接されており、該乾式化粧目地カバー４を幅方向に圧縮すると該プレート部５ｂが面外方向に撓んで弾性復元力が発生し、この弾接復元力で目地への取付け状態が保持させるようになされている。なお、プレート部５ｂには屋外側への湾曲の癖付けがされることで、背後の止水材への配慮がなされている。
【００２４】
以上に、本発明の実施形態を示したが、本発明はこれに限られるものではなく、発明思想を逸脱しない範囲で各種の変更が可能である。例えば、上記の実施形態では、目地幅の違いによって両側の側部カバー部５，５と中間カバー部６の重なり幅を変化させる手段として、ウレタン材７，７やプレート部５ｂを使用した場合を示したが、それらを省略し、両側の側部カバー部５，５を外壁面材１の側面部に接着するようにしてもよい。
【００２５】
また、上記の実施形態では、中間カバー部６が両側の側部カバー部５，５よりも外側に備えられている場合を示しているが、中間カバー部が両側の側部カバー部よりも内側に備えられていてもよい。
【００２６】
更に、本発明は、外壁の縦目地に用いた場合を示したが、階間胴差部等の各所の横目地に用いることも可能である。
【図面の簡単な説明】
【００２７】
【図１】第１実施形態を示すもので、図（イ）は乾式化粧目地カバーの断面平面図、図（ロ）は該カバーを幅方向に圧縮させた状態の断面平面図、図（ハ）は乾式化粧目地カバー構造の断面平面図、図（ニ）は同断面斜視図である。
【図２】図（イ）〜図（ハ）は施工方法を順次に示す断面平面図である。
【図３】第２実施形態を示すもので、図（イ）は乾式化粧目地カバーの断面平面図、図（ロ）は該カバーを幅方向に圧縮させた状態の断面平面図である。
【符号の説明】
【００２８】
２…外壁目地 
３…背後の止水材
４…乾式化粧目地カバー
５…側部カバー部
５ｂ…プレート部（弾性手段）
６…中間カバー部
７…ウレタン材（弾性手段）
【図１】
0004717710.tif 000002
【図２】
0004717710.tif 000003
【図３】
0004717710.tif 000004